【手続補正書】
【提出日】平成18年3月15日(2006.3.15)
【手続補正１】
【補正対象書類名】明細書
【補正対象項目名】発明の名称
【補正方法】変更
【補正の内容】
【発明の名称】生体情報検出用接触装置、及び生体情報測定装置
【手続補正２】
【補正対象書類名】明細書
【補正対象項目名】特許請求の範囲
【補正方法】変更
【補正の内容】
【特許請求の範囲】
【請求項１】  被検体の測定部位に当接する当接面を有する第１の当接手段と、
前記当接面が前記測定部位上を移動しないよう固定する固定手段とを備え、
前記当接面は、光を前記測定部位へ出射する出射領域と、前記出射領域から出射された光に基づく前記測定部位からの透過光、反射光、散乱光または透過反射光の全部または一部を入射する入射領域とを有する生体情報検出用接触装置。
【請求項２】  前記測定部位が前記当接面と当接できるように、前記被検体の少なくとも一部を変形させる変形手段を備えた請求項１に記載の生体情報検出用接触装置。
【請求項３】  前記被検体は生体の口唇部であり、前記測定部位は前記口唇部の口唇粘膜であって、
前記変形手段は、前記口唇粘膜を外部へ露出させるように前記口唇部を変形する請求項２に記載の生体情報検出用接触装置。
【請求項４】  前記変形手段は、前記生体の口腔内で保持され、歯外で歯肉から下唇小帯に向かう押し開き手段を有する請求項３に記載の生体情報検出用接触装置。
【請求項５】  前記固定手段は、前記生体の口腔内で上下歯によって咬合される装着部を備え、
前記第１の当接手段は歯列外に配置され、前記装着部が前記上下歯によって咬合されることによって、前記当接面が前記口唇粘膜に密着させられる請求項２に記載の生体情報検出用接触装置。
【請求項６】  前記変形手段は、少なくとも１箇所で前記口唇部を挟持する挟持手段を有する請求項３に記載の生体情報検出用接触装置。
【請求項７】  前記挟持手段は、おとがい唇溝またはおとがい唇溝より下部を支点として回動するよう構成された請求項６に記載の生体情報検出用接触装置。
【請求項８】  前記固定手段は、前記第１の当接手段を保持し、前記挟持手段が回動したときそれに連動して移動し、前記当接面を前記口唇部に当接させる保持手段を有する請求項７に記載の生体情報検出用接触装置。
【請求項９】  前記被検体は生体であり、
前記固定手段は前記生体の歯列、顎、または頭部の少なくとも一つで支持されることにより前記固定を行う請求項１に記載の生体情報検出用接触装置。
【請求項１０】  前記測定部位を挟んで前記第１の当接手段と対向し、前記被検体の前記測定部位とは異なる部位に当接する第２の当接手段をさらに備え、
前記固定手段は、前記第１の当接手段と前記第２の当接手段との間を一定の距離に保つよう固定する請求項１に記載の生体情報検出用接触装置。
【請求項１１】  前記距離固定手段は、前記一定の距離を互いに異なる複数の大きさに設定可能な請求項１０に記載の生体情報検出用接触装置。
【請求項１２】  前記当接面の面積は、前記第２の当接手段が当接する部分の面積より小さい請求項１０に記載の生体情報検出用接触装置。
【請求項１３】  前記第２の当接手段は、実質上凸型の形状を有する請求項１０に記載の生体情報検出用接触装置。
【請求項１４】  前記凸型は、丸みを有したものである請求項１３に記載の生体情報検出用接触装置。
【請求項１５】  前記第１の当接手段および／または前記第２の当接手段による前記測定部位への印圧を測定する印圧測定手段を備えた請求項１０に記載の生体情報検出用接触装置。
【請求項１６】  前記距離固定手段は、前記測定された印圧に基づき、前記一定の距離を変更する請求項１５に記載の生体情報検出用接触装置。
【請求項１７】  請求項１から１６のいずれかに記載の生体情報検出用接触装置と、
前記当接面の前記出射領域へ光を送る光源と、
前記当接面の前記入射領域からの光を受光する受光手段と、
前記受光手段の受光結果を演算し、前記測定部位に関する情報を取得する演算手段とを備えた生体情報測定装置。
【請求項１８】  前記変形手段により変形した箇所を確認する確認手段をさらに備えた請求項１７に記載の生体情報測定装置。
【請求項１９】  前記確認手段は、接触センサーによる接触確認である請求項１８に記載の生体情報測定装置。
【請求項２０】  前記接触確認が、前記押し開き手段の端部を利用している請求項１８に記載の生体情報測定装置。
【請求項２１】  前記光源からの光を分光する分光手段と、
前記分光手段からの光を前記出射領域へ導く導光手段と、
前記光源、前記分光手段、前記導光手段、前記受光手段および前記生体情報検出用接触装置とを一体的に保持する保持体とを備えた請求項１７に記載の生体情報測定装置。
【請求項２２】  前記導光手段は鏡を利用した手段である請求項２１に記載の生体情報測定装置。
【請求項２３】 前記保持体には位置規制部材が取り付けられており、この位置規制部材を利用して、前記情報検出用接触装置の位置が規制される請求項２２に記載の生体情報測定装置。
【手続補正３】
【補正対象書類名】明細書
【補正対象項目名】００２５
【補正方法】変更
【補正の内容】
【００２５】
また、第７の本発明は、前記挟持手段は、おとがい唇溝またはおとがい唇溝より下部を支点として回動するよう構成された第６の本発明の生体情報検出用接触装置である。
【手続補正４】
【補正対象書類名】明細書
【補正対象項目名】００４２
【補正方法】削除
【補正の内容】
【手続補正５】
【補正対象書類名】明細書
【補正対象項目名】００４３
【補正方法】削除
【補正の内容】
【手続補正６】
【補正対象書類名】明細書
【補正対象項目名】００４４
【補正方法】削除
【補正の内容】
【手続補正７】
【補正対象書類名】明細書
【補正対象項目名】００４５
【補正方法】削除
【補正の内容】
【手続補正８】
【補正対象書類名】明細書
【補正対象項目名】００４６
【補正方法】削除
【補正の内容】
【手続補正９】
【補正対象書類名】明細書
【補正対象項目名】００６８
【補正方法】変更
【補正の内容】
【００６８】
クリップ部２２の手指つまみ側２７をつまんで口唇挟持側２８を開け、下側口唇１１を挟みこんで手指つまみ側２７を離すと、図２（ａ）に示すように、下側口唇１１はクリップ部２２によって狭持された状態になる。その際測定部２３は下側口唇１１に接触していない。
【手続補正１０】
【補正対象書類名】明細書
【補正対象項目名】００７０
【補正方法】変更
【補正の内容】
【００７０】
そのとき同時に、Ｌ字状部材３９によってクリップ部２２と連結された測定部２３が、クリップ部２２の回動と連動して下方に下がる。これにより、プリズム５の当接面５ａが下側口唇１１の口唇粘膜１１ａに確実に密着して当接するものである。
【手続補正１１】
【補正対象書類名】明細書
【補正対象項目名】００８３
【補正方法】変更
【補正の内容】
【００８３】
また、本実施の形態では下側口唇を測定部位として説明したが、上側口唇の口唇粘膜を測定部位として測定しても一向に構わない。その場合は、実施の形態１，２とも本装置を逆さまにして扱えばよく、本発明の変形手段は上側口唇を変形して、外部へ露出させることになる。本発明の要旨は通常隠れている歯肉側の口唇粘膜等の体組織を確実に露出させ、そこに当接手段を当接、密着させて測定することとその測定位置再現性を確実に行うことにある。
【手続補正１２】
【補正対象書類名】明細書
【補正対象項目名】００８５
【補正方法】変更
【補正の内容】
【００８５】
図６、図７（ａ）（ｂ）において、６１は卓上型生体情報測定装置であり、下側口唇６２の口唇粘膜６３に当接するプリズム６４を先端に有した測定部５と、図示しないが、光源と、この光源からの光をプリズム６４に入射し当接する被検体である口唇粘膜６３内へ浸みだした後プリズム６４内をさらに進行する導光手段と、この光を受光する検出器を内蔵している。
【手続補正１３】
【補正対象書類名】明細書
【補正対象項目名】００８６
【補正方法】変更
【補正の内容】
【００８６】
さらに図８にプリズム６４近傍の拡大正面図を示す。プリズム６４には、導光手段によって導かれた光源からの光を入射する入射端８１と、口唇粘膜６３へしみ出した後の透過光、反射光、散乱光または透過反射光が出射される出射端８２と、口唇粘膜６３と直接接触する当接面６４ａとが形成されており、光ファイバー８１ａ、８２ａが入射端８１、出射端８２にそれぞれ接続され、光ファイバー８１ａの他端は図示しない光源に、光ファイバー８２ａの他端は図示しない検出器に接続されている。
【手続補正１４】
【補正対象書類名】明細書
【補正対象項目名】００８８
【補正方法】変更
【補正の内容】
【００８８】
またプリズム６４が被検体である口唇粘膜６３と当接しセンシングする当接部６４ａは、センシング面積が口唇面の半分以下の小型で前記測定部６５の面より突出した構成となっており、入射端８１から入射され、プリズム６４を経由してきた光が口唇粘膜６３へ出射する出射領域８３と、出射領域８３から出射された光が、口唇粘膜へしみ出した後の透過光、反射光、散乱光または透過反射光を入射する入射領域８４とが含まれている。なお、測定される光は透過光、反射光、散乱光または透過反射光のうちその全部を含んでもよいし、一部であってもよい。
【手続補正１５】
【補正対象書類名】明細書
【補正対象項目名】００９８
【補正方法】変更
【補正の内容】
【００９８】
また、特に図８に拡大して示すように、圧迫密着している面積が小さくかつわずかな丸み６７ａを帯びているため口唇粘膜６３上の唾液が、当接部６４ａの中心からこの当接部６４ａと口唇支持部６７で圧迫されていない周囲に逃げやすくなり、密着している口唇粘膜６３での唾液層のバラツキは非常に小さいものとなる。
【手続補正１６】
【補正対象書類名】明細書
【補正対象項目名】０１３１
【補正方法】変更
【補正の内容】
【０１３１】
なお、上記の各実施の形態において、本発明の被検体である生体は人体であり、測定部位は口唇粘膜であるとして説明を行ったが、本発明は、少なくとも第１の当接手段が当接する必要がある部位であれば、口腔の内壁、歯茎、瞼や性器など、粘膜質の他の部位であってもよい。また、人体の任意の位置であってもよい。また、本発明の生体は人間に限らず、動物であってもよく、その体組織を本発明の測定部位としてもよい。
なお、上述したように、生体情報測定方法に関する第１発明は、光を被検体の測定部位へ出射する出射領域と、前記出射領域から出射された光に基づく前記測定部位からの透過光、反射光、散乱光または透過反射光の全部または一部を入射する入射領域とを有する当接面を、前記測定部位に当接する工程と、
前記当接面が前記測定部位上を移動しないよう固定する工程とを備え、
前記入射領域から得られた光に基づき、前記測定部位中の特定成分を非侵襲的に測定する生体情報測定方法である。
また、第２発明は、前記測定部位が前記当接面と当接できるように、前記被検体の少なくとも一部を変形させる工程をさらに備えた第１発明の生体情報検出方法である。
また、第３発明は、測定部位に当接する情報検出用接触子により光を照射するとともにこの測定部位からの透過光もしくは反射光もしくは散乱光もしくは透過反射光を検出し、測定部位中の特定成分を非侵襲的に測定する生体情報測定方法であって、
測定部位である生体口唇部の口唇粘膜を露出させたあと、この口唇粘膜に前記情報検出用接触子を密着させる生体情報測定方法である。
また、第４発明は、前記口唇粘膜の露出を、口唇前面に当接させた接触部材を顎方向へ移動させることによって行う第３発明の生体情報測定方法である。
なお、本発明に関連する方法発明としては、測定部位に当接する情報検出用接触子により光を照射するとともにこの測定部位からの透過光、反射光、散乱光もしくは透過反射光を検出し、測定部位中の特定成分を非侵襲的に測定する生体情報測定方法であって、
光源からの光を分光し、分光された光を前記情報検出用接触子へ導き、前記測定部位からの透過光、反射光、散乱光もしくは透過反射光を検出し、検出された信号について演算を行い生体情報を得る際に、
少なくとも前記情報検出用接触子の位置調節を行う生体情報測定方法がある。